(57)【要約】【課題】  コスト面での難点を解消し、且つ、省エネを図ることができる冷却システムを提供する。【解決手段】  店内温度ＴＩと店内湿度ＵＩとに基づいて店内エンタルピＥを求め、該店内エンタルピＥと４台の冷蔵冷凍機器１〜４の中の最も低い設定庫内温度とに基づいて圧縮機５ａの目標吸入圧力ＰＳを的確に設定できるので、換言すれば、各冷蔵冷凍機器１〜４から特殊な運転データを収集することなく、且つ、制御装置６に複雑な処理等を要することなく圧縮機５ａの目標吸入圧力ＰＳを的確に設定できる。【選択図】  図２
2006342984.tif 000002
【特許請求の範囲】
【請求項１】
店内に設置された複数の冷蔵冷凍機器の蒸発器に共用冷凍機の圧縮機から冷媒を供給すると共に実吸入圧力が目標吸入圧力となるように圧縮機の回転数を制御する冷却システムであって、
店内温度と店内湿度とに基づいて店内エンタルピを求める手段と、
この店内エンタルピと複数の冷蔵冷凍機器の中の最も低い設定庫内温度とに基づいて圧縮機の目標吸入圧力を設定する手段と、
この目標吸入圧力と圧縮機の実吸入圧力との圧力偏差に基づき実吸入圧力が目標吸入圧力となるように圧縮機の回転数を制御する手段と、
複数の冷蔵冷凍機器の中で最も設定庫内温度が低い冷蔵冷凍機器を含む少なくとも１台の冷蔵冷凍機器を制御対象機器として選定する手段と、
制御対象機器として選定した冷蔵冷凍機器の冷却状態に応じて前記目標吸入圧力を補正する手段とを備える、
ことを特徴とする冷却システム。
【請求項２】
制御対象機器を選定する手段は、複数の冷蔵冷凍機器の中で最も低い設定庫内温度をＴＳL としたときに設定庫内温度がＴＳL 〜ＴＳL ＋α（αは正の数値）の範囲に入る冷蔵冷凍機器を制御対象機器として選定する、
ことを特徴とする請求項１に記載の冷却システム。
【請求項３】
制御対象機器を選定する手段は、複数の冷蔵冷凍機器の中で最も設定庫内温度が低い冷蔵冷凍機器と、該冷蔵冷凍機器以外の冷蔵冷凍機器の中で実庫内温度の単位時間当たりの平均値が設定庫内温度よりも高く、且つ、平均値と設定庫内温度との温度偏差が許容値を上回っている冷蔵冷凍機器とを、制御対象機器として選定する、
ことを特徴とする請求項１に記載の冷却システム。
【請求項４】
目標吸入圧力を補正する手段は、予め定めた庫内温度上限値及び庫内温度下限値と制御対象機器として選定した冷蔵冷凍機器の実庫内温度の単位時間当たりの平均値との温度偏差に基づいて目標吸入圧力を補正する、
ことを特徴とする請求項１〜３の何れか１項に記載の冷却システム。
【請求項５】
目標吸入圧力を補正する手段は、予め定めた吸入圧力上限値及び吸入圧力下限値と圧縮機の実吸入圧力の単位時間当たりの平均値との圧力偏差に基づいて目標吸入圧力を補正する、
ことを特徴とする請求項１〜３の何れか１項に記載の冷却システム。
【請求項６】
目標吸入圧力を補正する手段は、圧縮機の実吸入圧力が予め定めた吸入圧力上限値及び吸入圧力下限値を越えた単位時間当たりの時間加算値に基づいて目標吸入圧力を補正する、
ことを特徴とする請求項１〜３の何れか１項に記載の冷却システム。
【請求項７】
目標吸入圧力を補正する手段は、圧縮機の実吸入圧力が予め定めた吸入圧力上限値及び吸入圧力下限値を越えた単位時間当たりの回数に基づいて目標吸入圧力を補正する、
ことを特徴とする請求項１〜３の何れか１項に記載の冷却システム。
【発明の詳細な説明】
【技術分野】
【０００１】
本発明は、店内に設置された複数の冷蔵冷凍機器の蒸発器に共用冷凍機の圧縮機から冷媒を供給する冷却システムに関する。
【背景技術】
【０００２】
この種の冷却システムは、店内に設置された冷蔵ショーケースや扉付き冷凍庫等から成る複数の冷蔵冷凍機器と、各冷蔵冷凍機器の蒸発器への冷媒供給を行う圧縮機を有する共用冷凍機と、実吸入圧力が目標吸入圧力となるように圧縮機の回転数を制御する制御装置とを備える。
【０００３】
各冷蔵冷凍機器は蒸発器に冷媒を取り込むための電磁弁と実庫内温度を検出するための温度センサを有し、電磁弁の開閉を制御することにより所期の冷却を行う。共用冷凍機は圧縮機の実吸入圧力を検出するための圧力センサを有し、実吸入圧力が目標吸入圧力となるように圧縮機の回転数を制御する。
【特許文献１】特開平９−２１７９７４号公報
【発明の開示】
【発明が解決しようとする課題】
【０００４】
従前の冷却システムでは、前記目標吸入圧力を電磁弁の運転率や温度降下速度や電磁弁の平均オンオフ周期等に基づいて設定しているため、省エネにはある程度貢献できるものの、各冷蔵冷凍機器から特殊な運転データを収集する必要があると共に制御装置に複雑な処理等が必要になるためコスト面で難点がある。
【０００５】
本発明は前記事情に鑑みて創作されたもので、コスト面での難点を解消し、且つ、省エネを図ることができる冷却システムを提供することにある。
【課題を解決するための手段】
【０００６】
前記目的を達成するため、本発明の冷却システムは、店内に設置された複数の冷蔵冷凍機器の蒸発器に共用冷凍機の圧縮機から冷媒を供給すると共に実吸入圧力が目標吸入圧力となるように圧縮機の回転数を制御する冷却システムであって、店内温度と店内湿度とに基づいて店内エンタルピを求める手段と、この店内エンタルピと複数の冷蔵冷凍機器の中の最も低い設定庫内温度とに基づいて圧縮機の目標吸入圧力を設定する手段と、この目標吸入圧力と圧縮機の実吸入圧力との圧力偏差に基づき実吸入圧力が目標吸入圧力となるように圧縮機の回転数を制御する手段と、複数の冷蔵冷凍機器の中で最も設定庫内温度が低い冷蔵冷凍機器を含む少なくとも１台の冷蔵冷凍機器を制御対象機器として選定する手段と、制御対象機器として選定した冷蔵冷凍機器の冷却状態に応じて前記目標吸入圧力を補正する手段とを備える、ことをその特徴とする。
【０００７】
この冷却システムによれば、店内温度と店内湿度とに基づいて店内エンタルピを求め、この店内エンタルピと複数の冷蔵冷凍機器の中の最も低い設定庫内温度とに基づいて圧縮機の目標吸入圧力を的確に設定できるので、換言すれば、各冷蔵冷凍機器から特殊な運転データを収集することなく、且つ、制御装置に複雑な処理等を要することなく圧縮機の目標吸入圧力を的確に設定できるので、コスト面での難点を解消し、且つ、省エネを図れる。
【０００８】
また、複数の冷蔵冷凍機器の中で最も設定庫内温度が低い冷蔵冷凍機器を含む少なくとも１台の冷蔵冷凍機器を制御対象機器として選定し、制御対象機器として選定した冷蔵冷凍機器の冷却状態に応じて前記目標吸入圧力を補正しているので、換言すれば、極力少ない台数の冷蔵冷凍機器を制御対象機器としその冷却状態に応じて前記目標吸入圧力の補正を行えるので、目標吸入圧力を高精度に設定できることに加え、全ての冷蔵冷凍機器を制御対象機器とする場合に比べて補正に要する処理負担を軽減して省エネに貢献できる。
【０００９】
さらに、最も設定庫内温度が低い冷蔵冷凍機器以外の冷蔵冷凍機器を制御対象機器として含めることができるので、店内空調機との位置関係や日射や商品の出し入れ頻度等の影響によって最も設定庫内温度が低い冷蔵冷凍機器以外の冷蔵冷凍機器の冷えが甘くなるような場合でも、冷えが甘くなった冷蔵冷凍機器の冷却状態に応じた適切な目標吸入圧力を設定して、全ての冷蔵冷凍機器における庫内温度維持を的確に行える。
【発明の効果】
【００１０】
本発明によれば、コスト面での難点を解消し、且つ、省エネを図ることができる冷却システムを提供できる。
【００１１】
本発明の前記目的とそれ以外の目的と、構成特徴と、作用効果は、以下の説明と添付図面によって明らかとなる。
【発明を実施するための最良の形態】
【００１２】
図１〜図５は本発明の一実施形態を示すもので、図１は冷却システムの全体構成図、図２は目標吸入圧力の設定及び補正に係る第１の処理フローを示す図、図３は店内エンタルピを求める際に用いられるデータテーブルを示す図、図４は目標吸入圧力を設定する際に用いられるデータテーブルを示す図、図５は目標吸入圧力の設定及び補正に係る第２の処理フローを示す図である。
【００１３】
まず、図１を参照して、冷却システムの全体構成について説明する。図１中の１〜４は冷蔵冷凍機器、５は共用冷凍機、６は制御装置、ＲＰ１は冷媒往き管、ＲＰ２は冷媒戻り管、ＳＬ１，ＳＬ２は信号線である。
【００１４】
各冷蔵冷凍機器１〜４は冷蔵ショーケースや扉付き冷凍庫等から成り、店内の所定位置に設置されている。各冷蔵冷凍機器１〜４は、蒸発器１ａ〜４ａと、蒸発器１ａ〜４ａの入口側に設けられた膨張弁１ｂ〜４ｂと、膨張弁１ｂ〜４ｂの入口側に設けられた電磁弁１ｃ〜４ｃと、冷却空気を循環するための庫内ファン１ｄ〜４ｄと、実庫内温度（吹き出し温度）ＴＡ１〜ＴＡ４を検出するための庫内温度センサ１ｅ〜４ｅと、コントローラ１ｆ〜４ｆと、設定庫内温度ＴＳ１〜ＴＳ４を定めるための庫内温度設定器１ｇ〜４ｇとを備える。各冷蔵冷凍機器１〜４の蒸発器１ａ〜４ａは冷媒往き管ＲＰ１及び冷媒戻り管ＲＰ２を介して共用冷凍機５の冷媒用出口及び冷媒用入口に並列に接続されている。
【００１５】
各コントローラ１ｄ〜４ｄはマイクロコンピュータ構成の制御部と通信部と検知部とを有し、各通信部は信号線ＳＬ１を介して制御装置６に接続され、各検知部には庫内温度センサ１ｅ〜４ｅが接続されている。各コントローラ１ｄ〜４ｄの制御部のメモリには、設定庫内温度（ＴＳ１〜ＴＳ４）と実庫内温度（ＴＡ１〜ＴＡ４）との温度偏差（ΔＴ１〜ΔＴ４）に基づいて電磁弁（１ｃ〜４ｃ）の開放及び閉塞等を制御するための電磁弁開閉プログラムと、設定庫内温度（ＴＳ１〜ＴＳ４）と実庫内温度（ＴＡ１〜ＴＡ４）と温度偏差（ΔＴ１〜ΔＴ４）等を制御装置６に伝送するための通信プログラム等が格納されている。
【００１６】
共用冷凍機５は、モータ回転数の増減によって能力可変するタイプの圧縮機５ａと、凝縮器５ｂと、圧縮機５ａの実吸入圧力ＰＡを検出するための圧力センサ５ｃと、コントローラ５ｄとを備える。共用冷凍機５の冷媒用出口（凝縮器５ｂの出口側）には冷媒往き管ＲＰ１の基端が接続され、冷媒用入口（圧縮機５ａの入口側）には冷媒戻り管ＲＰ２の終端が接続されている。
【００１７】
コントローラ５ｄはマイクロコンピュータ構成の制御部と通信部と検知部とを有し、通信部は信号線ＳＬ２を介して制御装置６に接続され、検知部には圧力センサ５ｃが接続されている。コントローラ５ｄの制御部のメモリには、制御装置６で設定された目標吸入圧力ＰＳと実吸入圧力ＰＡとの圧力偏差ΔＰに基づいて実吸入圧力が目標吸入圧力となるように圧縮機５ａの回転数を制御する回転数可変プログラムと、実吸入圧力ＰＡと圧力偏差ΔＰ等を制御装置６に伝送するための通信プログラム等が記憶されている。
【００１８】
制御装置６は、マイクロコンピュータ構成の制御部６ａと、入力キーやディスプレイを含む設定部６ｂと、検知部６ｃと、店内温度ＴＩを検出するための店内温度センサ６ｄと、店内湿度ＵＩを検出するための店内湿度センサ６ｅと、通信部６ｆと、通信部６ｆに接続されたコネクタ６ｇとを備える。店内温度センサ６ｄと店内湿度センサ６ｅは各冷蔵冷凍機器１〜４及び店内空調機からの熱的影響を受け難い店内位置に設置されており、検知部６ｃに接続されている。また、コネクタ６ｇには信号線ＳＬ１，ＳＬ２の端が接続されている。さらに、制御部６ａのメモリには、目標吸入圧力を設定及び補正するための後述のプログラムと、設定後または補正後の目標吸入圧力ＰＳを共用冷凍機５に伝送するための通信プログラム等が格納されている。
【００１９】
次に、図２〜図４を参照して、制御装置６で実行される目標吸入圧力の設定及び補正に係る第１の処理フローを、システム全体の動作を交えて説明する。
【００２０】
システム起動後は、後述の目標吸入圧力の補正に係る制御対象機器を選定する（図２のステップＳ１）。
【００２１】
ここでの選定には、４台の冷蔵冷凍機器１〜４の中で最も低い設定庫内温度をＴＳL としたときに設定庫内温度がＴＳL 〜ＴＳL ＋αの範囲に入る少なくとも１台の冷蔵冷凍機器を制御対象機器として選定する手法が採用される。因みに、αは制御装置６の設定部６ｂを通じて予め入力された温度に係る正の数値である。
【００２２】
例えば、４台の冷蔵冷凍機器１〜４の庫内設定温度ＴＳ１〜ＴＳ４がそれぞれ＋３℃，＋４℃，＋５℃，＋１８℃であるときは最も低い設定庫内温度ＴＳL は＋３℃であるので、αを１℃とすればＴＳL 〜ＴＳL ＋α（＝＋３℃〜＋４℃）の範囲には設定庫内温度が＋３℃の１台の冷蔵冷凍機器１と設定庫内温度が＋４℃の１台の冷蔵冷凍機器２が入るため、この２台の冷蔵冷凍機器１，２が制御対象機器として選定される。αを０．５℃とすれば＋３℃の１台の冷蔵冷凍機器１のみが制御対象機器として選定され、また、αを２℃とすれば設定庫内温度が＋３℃の１台の冷蔵冷凍機器１と設定庫内温度が＋４℃の１台の冷蔵冷凍機器２と設定庫内温度が＋５℃の１台の冷蔵冷凍機器３の３台が制御対象機器として選定される。つまり、ここでの選定では４台の冷蔵冷凍機器１〜４の中で最も設定庫内温度が低い冷蔵冷凍機器を含む少なくとも１台の冷蔵冷凍機器が制御対象機器として選定されることになる。
【００２３】
制御対象機器を選定した後は、店内温度センサ６ｄと店内湿度センサ６ｅで検出された今現在の店内温度ＴＩと店内湿度ＵＩとに基づいて店内エンタルピＥを求める（図２のステップＳ２）。ここでは、店内温度ＴＩと店内湿度ＵＩとの関係に基づいて予め用意した図３のデータテーブルを利用し、該当する店内温度ＴＩと店内湿度ＵＩとから店内エンタルピＥを選定する。勿論、この店内エンタルピＥは、図３のデータテーブルを利用せずに、店内温度ＴＩと店内湿度ＵＩとを変数とした計算式によって求めることも可能である。
【００２４】
店内エンタルピＥを求めた後は、この店内エンタルピと４台の冷蔵冷凍機器１〜４の中で最も低い設定庫内温度とに基づいて圧縮機５ａの目標吸入圧力ＰＳを設定する（図２のステップＳ３）。ここでは、店内エンタルピＥと設定庫内温度Ｔとの関係に基づいて予め用意した図４のデータテーブルを利用し、該当する店内エンタルピＥと設定庫内温度Ｔとから目標吸入圧力ＰＳを設定する。勿論、この目標吸入圧力ＰＳは、図４のデータテーブルを利用せずに、店内エンタルピＥと設定庫内温度Ｔとを変数とした計算式によって求めることも可能である。
【００２５】
目標吸入圧力ＰＳを設定した後は、該目標吸入圧力ＰＳを共用冷凍機５に伝送する（図２のステップＳ４）。
【００２６】
共用冷凍機５のコントローラ５ｄは、この目標吸入圧力ＰＳと実吸入圧力ＰＡとの圧力偏差ΔＰに基づき、実吸入圧力が目標吸入圧力となるように圧縮機５ａの回転数を制御する。即ち、コントローラ５ｄは、実吸入圧力ＰＡ＞目標吸入圧力ＰＳのときに圧縮機５ａの回転数を増加させて実吸入圧力ＰＡが下がるようにフィードバック制御し、且つ、実吸入圧力ＰＡ＜目標吸入圧力ＰＳのときに圧縮機５ａの回転数を減少させて実吸入圧力ＰＡが上がるようにフィードバック制御する。
【００２７】
一方、各冷蔵冷凍機器１〜４のコントローラ１ｄ〜４ｄは、設定庫内温度（ＴＳ１〜ＴＳ４）と実庫内温度（ＴＡ１〜ＴＡ４）との温度偏差（ΔＴ１〜ΔＴ４）に基づき、電磁弁（１ｃ〜４ｃ）の開閉を制御する。即ち、各コントローラ１ｄ〜４ｄは、実庫内温度（ＴＡ１〜ＴＡ４）＞設定庫内温度（ＴＳ１〜ＴＳ４）のときに電磁弁（１ｃ〜４ｃ）を開放して冷媒を蒸発器（１ａ〜４ａ）に取り込み、且つ、実庫内温度（ＴＡ１〜ＴＡ４）＜設定庫内温度（ＴＳ１〜ＴＳ４）のときに電磁弁（１ｃ〜４ｃ）を閉じて蒸発器（１ａ〜４ａ）への冷媒の取り込みを抑止するように電磁弁（１ｃ〜４ｃ）の開閉を制御して所期の冷却を行う。
【００２８】
目標吸入圧力ＰＳを共用冷凍機５に伝送した後は、ステップＳ１で選定した制御対象機器の冷却状態を監視し、該制御対象機器の冷却状態に応じて前記目標吸入圧力ＰＳを補正する（図２のステップＳ５〜Ｓ７）。
【００２９】
制御対象機器の冷却状態を監視して目標吸入圧力ＰＳを補正する方法には、後述する第１〜第４の補正方法の少なくとも１つが採用される。
【００３０】
［第１の補正方法］
予め定めた庫内温度上限値ＴH 及び庫内温度下限値ＴL と制御対象機器として選定した冷蔵冷凍機器の単位時間当たり（例えば１時間当たり）の実庫内温度ＴＡの平均値ＴＡａとの温度偏差ΔＴａを求め、該温度偏差ΔＴａの値に応じて目標吸入圧力ＰＳにプラス或いはマイナスの補正を行う。
【００３１】
具体的には、補正レベルを判定するために庫内温度上限値ＴH にこれよりも高い２つの温度しきい値ＴH1，ＴH2（ＴH2＞ＴH1＞ＴH ）を設定し、且つ、庫内温度下限値ＴL にこれよりも低い２つの温度しきい値ＴL1，ＴL2（ＴL2＜ＴL1＜ＴL ）を設定しておき、
ΔＴａ≧ＴH2・・・・・・ＰＳ＝ＰＳ−３β
ＴH2＞ΔＴａ≧ＴH1・・・ＰＳ＝ＰＳ−２β
ＴH1＞ΔＴａ≧ＴH ・・・ＰＳ＝ＰＳ−β
ＴL ≧ΔＴａ＞ＴL1・・・ＰＳ＝ＰＳ＋β
ＴL1≧ΔＴａ＞ＴL2・・・ＰＳ＝ＰＳ＋２β
ＴL2≧ΔＴａ・・・・・・ＰＳ＝ＰＳ＋３β
に基づき、求められた温度偏差ΔＴａの値に応じて目標吸入圧力ＰＳの補正を行う。因みに、βは制御装置６の設定部６ｂを通じて予め入力された吸入圧力補正に係る正の数値である。温度偏差ΔＴａがＴH ＞ΔＴａ＞ＴL の範囲内にあるときには目標吸入圧力ＰＳの補正は行わない。
【００３２】
［第２の補正方法］
予め定めた吸入圧力上限値ＰH 及び吸入圧力下限値ＰL と圧縮機の単位時間当たり（例えば１時間当たり）の実吸入圧力ＰＡの平均値ＰＡａとの圧力偏差ΔＰａを求め、該圧力偏差ΔＰａの値に応じて目標吸入圧力ＰＳにプラス或いはマイナスの補正を行う。
【００３３】
具体的には、補正レベルを判定するために吸入圧力上限値ＰH にこれよりも高い２つの圧力しきい値ＰH1，ＰH2（ＰH2＞ＰH1＞ＰH ）を設定し、且つ、吸入圧力下限値ＰL にこれよりも低い２つの圧力しきい値ＰL1，ＰL2（ＰL2＜ＰL1＜ＰL ）を設定しておき、
ΔＰａ≧ＰH2・・・・・・ＰＳ＝ＰＳ−３β
ＰH2＞ΔＰａ≧ＰH1・・・ＰＳ＝ＰＳ−２β
ＰH1＞ΔＰａ≧ＰH ・・・ＰＳ＝ＰＳ−β
ＰL1≧ΔＰａ＞ＰL ・・・ＰＳ＝ＰＳ＋β
ＰL2≧ΔＰａ＞ＰL1・・・ＰＳ＝ＰＳ＋２β
ＰL2≧ΔＰａ・・・・・・ＰＳ＝ＰＳ＋３β
に基づき、求められた圧力偏差ΔＴａの値に応じて目標吸入圧力ＰＳの補正を行う。因みに、βは制御装置６の設定部６ｂを通じて予め入力された吸入圧力補正に係る正の数値である。圧力偏差ΔＰａがＰH ＞ΔＰａ＞ＰL の範囲内にあるときには目標吸入圧力ＰＳの補正は行わない。
【００３４】
［第３の補正方法］
圧縮機の実吸入圧力ＰＡが予め定められた吸入圧力上限値ＰH 及び吸入圧力下限値ＰL を越えた単位時間当たり（例えば１時間当たり）の時間加算値ｔａを求め、該時間加算値ｔａに応じて目標吸入圧力ＰＳにプラス或いはマイナスの補正を行う。
【００３５】
具体的には、実吸入圧力ＰＡが吸入圧力上限値ＰH を上回った時間をプラス時間とし実吸入圧力ＰＡが吸入圧力下限値ＰL を下回った時間をマイナス時間として時間加算値ｔａを求める。また、補正レベルを判定するために６つの時間しきい値ｔH2，ｔH1，ｔH ，ｔL ，ｔL1，ｔL2（ｔH2＞ｔH1＞ｔH ＞ｔL ＞ｔL1＞ｔL2）を設定しておき、
ｔａ≧ｔH2・・・・・・ＰＳ＝ＰＳ−３β
ｔH2＞ｔａ≧ｔH1・・・ＰＳ＝ＰＳ−２β
ｔH1＞ｔａ≧ｔH ・・・ＰＳ＝ＰＳ−β
ｔL ≧ｔａ＞ｔL1・・・ＰＳ＝ＰＳ＋β
ｔL1≧ｔａ＞ｔL2・・・ＰＳ＝ＰＳ＋２β
ｔL2≧ｔａ・・・・・・ＰＳ＝ＰＳ＋３β
に基づき、求められた時間加算値ｔａの値に応じて目標吸入圧力ＰＳの補正を行う。因みに、βは制御装置６の設定部６ｂを通じて予め入力された吸入圧力補正に係る正の数値である。時間加算値ｔａがｔH ＞ｔａ＞ｔL の範囲内にあるときには目標吸入圧力ＰＳの補正は行わない。
【００３６】
［第４の補正方法］
圧縮機の実吸入圧力ＰＡが予め定められた吸入圧力上限値ＰH 及び吸入圧力下限値ＰL を越えた単位時間当たり（例えば１時間当たり）の回数Ｎａを求め、該回数Ｎａに応じて目標吸入圧力ＰＳにプラス或いはマイナスの補正を行う。
【００３７】
具体的には、実吸入圧力ＰＡが吸入圧力上限値ＰH を上回ったときをプラス回数とし実吸入圧力ＰＡが吸入圧力下限値ＰL を下回ったときをマイナス回数として回数Ｎａを求める。また、補正レベルを判定するために６つの回数しきい値ＮH2，ＮH1，ＮH ，ＮL ，ＮL1，ＮL2（ＮH2＞ＮH1＞ＮH ＞ＮL ＞ＮL1＞ＮL2）を設定しておき、
Ｎａ≧ＮH2・・・・・・ＰＳ＝ＰＳ−３β
ＮH2＞Ｎａ≧ＮH1・・・ＰＳ＝ＰＳ−２β
ＮH1＞Ｎａ≧ＮH ・・・ＰＳ＝ＰＳ−β
ＮL ≧Ｎａ＞ＮL1・・・ＰＳ＝ＰＳ＋β
ＮL1≧Ｎａ＞ＮL2・・・ＰＳ＝ＰＳ＋２β
ＮL2≧Ｎａ・・・・・・ＰＳ＝ＰＳ＋３β
に基づき、求められた回数Ｎａの値に応じて目標吸入圧力ＰＳの補正を行う。因みに、βは制御装置６の設定部６ｂを通じて予め入力された吸入圧力補正に係る正の数値である。回数ＮａがＮH ＞Ｎａ＞ＮL の範囲内にあるときには目標吸入圧力ＰＳの補正は行わない。
【００３８】
目標吸入圧力ＰＳを補正した後は、補正後の目標吸入圧力ＰＳを共用冷凍機５に伝送する（図２のステップＳ８）。
【００３９】
共用冷凍機５のコントローラ５ｄは、この補正後の目標吸入圧力ＰＳと実吸入圧力ＰＡとの圧力偏差ΔＰに基づき、前記と同様に、実吸入圧力が補正後の目標吸入圧力となるように圧縮機５ａの回転数を制御する。
【００４０】
次に、図５を参照して、制御装置６で実行される目標吸入圧力の設定及び補正に係る第２の処理フローを、システム全体の動作を交えて説明する。
【００４１】
システム起動後は、店内温度センサ６ｄと店内湿度センサ６ｅで検出された今現在の店内温度ＴＩと店内湿度ＵＩとに基づいて店内エンタルピＥを求める（図５のステップＳ１１）。ここでは、店内温度ＴＩと店内湿度ＵＩとの関係に基づいて予め用意した図３のデータテーブルを利用し、該当する店内温度ＴＩと店内湿度ＵＩとから店内エンタルピＥを選定する。勿論、この店内エンタルピＥは、図３のデータテーブルを利用せずに、店内温度ＴＩと店内湿度ＵＩとを変数とした計算式によって求めることも可能である。
【００４２】
店内エンタルピＥを求めた後は、この店内エンタルピと４台の冷蔵冷凍機器１〜４の中で最も低い設定庫内温度とに基づいて圧縮機５ａの目標吸入圧力ＰＳを設定する（図５のステップＳ１２）。ここでは、店内エンタルピＥと設定庫内温度Ｔとの関係に基づいて予め用意した図４のデータテーブルを利用し、該当する店内エンタルピＥと設定庫内温度Ｔとから目標吸入圧力ＰＳを設定する。勿論、この目標吸入圧力ＰＳは、図４のデータテーブルを利用せずに、店内エンタルピＥと設定庫内温度Ｔとを変数とした計算式によって求めることも可能である。
【００４３】
目標吸入圧力ＰＳを設定した後は、該目標吸入圧力ＰＳを共用冷凍機５に伝送する（図５のステップＳ１３）。
【００４４】
共用冷凍機５のコントローラ５ｄは、この目標吸入圧力ＰＳと実吸入圧力ＰＡとの圧力偏差ΔＰに基づき、実吸入圧力が目標吸入圧力となるように圧縮機５ａの回転数を制御する。即ち、コントローラ５ｄは、実吸入圧力ＰＡ＞目標吸入圧力ＰＳのときに圧縮機５ａの回転数を増加させて実吸入圧力ＰＡが下がるようにフィードバック制御し、且つ、実吸入圧力ＰＡ＜目標吸入圧力ＰＳのときに圧縮機５ａの回転数を減少させて実吸入圧力ＰＡが上がるようにフィードバック制御する。
【００４５】
一方、各冷蔵冷凍機器１〜４のコントローラ１ｄ〜４ｄは、設定庫内温度（ＴＳ１〜ＴＳ４）と実庫内温度（ＴＡ１〜ＴＡ４）との温度偏差（ΔＴ１〜ΔＴ４）に基づき、電磁弁（１ｃ〜４ｃ）の開閉を制御する。即ち、各コントローラ１ｄ〜４ｄは、実庫内温度（ＴＡ１〜ＴＡ４）＞設定庫内温度（ＴＳ１〜ＴＳ４）のときに電磁弁（１ｃ〜４ｃ）を開放して冷媒を蒸発器（１ａ〜４ａ）に取り込み、且つ、実庫内温度（ＴＡ１〜ＴＡ４）＜設定庫内温度（ＴＳ１〜ＴＳ４）のときに電磁弁（１ｃ〜４ｃ）を閉じて蒸発器（１ａ〜４ａ）への冷媒の取り込みを抑止するように電磁弁（１ｃ〜４ｃ）の開閉を制御して所期の冷却を行う。
【００４６】
目標吸入圧力ＰＳを共用冷凍機５に伝送した後は、目標吸入圧力の補正に係る制御対象機器を選定する（図５のステップＳ１４）。
【００４７】
ここでの選定には、４台の冷蔵冷凍機器１〜４の中で最も設定庫内温度が低い冷蔵冷凍機器と、該冷蔵冷凍機器以外の冷蔵冷凍機器の中で実庫内温度の単位時間当たりの平均値が設定庫内温度よりも高く、且つ、平均値と設定庫内温度との温度偏差が許容値を上回っている冷蔵冷凍機器とを、制御対象機器として選定する手法が採用される。
【００４８】
例えば、４台の冷蔵冷凍機器１〜４の庫内設定温度ＴＳ１〜ＴＳ４がそれぞれ＋３℃，＋４℃，＋５℃，＋１８℃であるときは最も設定庫内温度が低い冷蔵冷凍機器として冷蔵冷凍機器１が選定される。また、残りの３台の冷蔵冷凍機器２〜４の実庫内温度ＴＡ２〜ＴＡ４の単位時間当たり（例えば１時間当たり）の平均値ＴＡａ２〜ＴＡａ４がそれぞれ求められ、各平均値ＴＡａ２〜ＴＡａ４と各設定庫内温度ＴＳ２〜ＴＳ４との温度偏差ΔＴａ２〜ΔＴａ４が求められる。そして、平均値ＴＡａ２〜ＴＡａ４が庫内設定温度ＴＳ２〜ＴＳ４よりも高く、且つ、平均値ＴＡａ２〜ＴＡａ４と庫内設定温度ＴＳ１〜ＴＳ４との温度偏差Ｔａ２〜ΔＴａ４が制御装置６の設定部６ｂを通じて予め入力された温度に係る許容値（例えば３〜５の正の数値）を上回っているか否かが判断され、上回っている冷蔵冷凍機器が制御対象機器として選定される。つまり、ここでの選定では４台の冷蔵冷凍機器１〜４の中で最も設定庫内温度が低い冷蔵冷凍機器を含む少なくとも１台の冷蔵冷凍機器が制御対象機器として選定されることになる。
【００４９】
制御対象機器を選定した後は、選定した制御対象機器の冷却状態を監視し、該制御対象機器の冷却状態に応じて前記目標吸入圧力ＰＳを補正する（図４のステップＳ１５〜Ｓ１７）。制御対象機器の冷却状態を監視して目標吸入圧力ＰＳを補正する方法には先に説明した第１〜第４の補正方法の少なくとも１つが採用される。
【００５０】
目標吸入圧力ＰＳを補正した後は、補正後の目標吸入圧力ＰＳを共用冷凍機５に伝送する（図５のステップＳ１８）。
【００５１】
共用冷凍機５のコントローラ５ｄは、この補正後の目標吸入圧力ＰＳと実吸入圧力ＰＡとの圧力偏差ΔＰに基づき、前記と同様に、実吸入圧力が補正後の目標吸入圧力となるように圧縮機５ａの回転数を制御する。
【００５２】
このように、前述の冷却システムによれば、店内温度ＴＩと店内湿度ＵＩとに基づいて店内エンタルピＥを求め、該店内エンタルピＥと４台の冷蔵冷凍機器１〜４の中の最も低い設定庫内温度とに基づいて圧縮機５ａの目標吸入圧力ＰＳを的確に設定できるので、換言すれば、各冷蔵冷凍機器１〜４から特殊な運転データを収集することなく、且つ、制御装置６に複雑な処理等を要することなく圧縮機５ａの目標吸入圧力ＰＳを的確に設定できるので、コスト面での難点を解消し、且つ、省エネを図れる。
【００５３】
また、前述の冷却システムによれば、４台の冷蔵冷凍機器１〜４の中で最も設定庫内温度ＴＳが低い冷蔵冷凍機器を含む少なくとも１台の冷蔵冷凍機器を制御対象機器として選定し、制御対象機器として選定した冷蔵冷凍機器の冷却状態に応じて前記目標吸入圧力ＰＳを補正しているので、換言すれば、極力少ない台数の冷蔵冷凍機器を制御対象機器としその冷却状態に応じて前記目標吸入圧力ＰＳの補正を行えるので、目標吸入圧力ＰＳを高精度に設定できることに加え、４台全ての冷蔵冷凍機器１〜４を制御対象機器とする場合に比べて補正に要する処理負担を軽減して省エネに貢献できる。
【００５４】
さらに、前述の冷却システムによれば、最も設定庫内温度が低い冷蔵冷凍機器以外の冷蔵冷凍機器を制御対象機器として含めることができるので、店内空調機との位置関係や日射や商品の出し入れ頻度等の影響によって最も設定庫内温度ＴＳが低い冷蔵冷凍機器以外の冷蔵冷凍機器の冷えが甘くなるような場合でも、冷えが甘くなった冷蔵冷凍機器の冷却状態に応じた適切な目標吸入圧力ＰＳを設定して、４台全ての冷蔵冷凍機器１〜４における庫内温度維持を的確に行える。
【００５５】
さらに、前述の冷却システムによれば、４台の冷蔵冷凍機器１〜４の中で最も低い設定庫内温度をＴＳL としたときに設定庫内温度がＴＳL 〜ＴＳL ＋αの範囲に入る冷蔵冷凍機器を制御対象機器として選定しているので、冷却対象商品の入れ替え等に伴って設定庫内温度が変更された場合でも該変更に追従した機器選定を自動的に、且つ、簡単に行える。
【００５６】
さらに、前述の冷却システムによれば、４台の冷蔵冷凍機器１〜４の中で最も設定庫内温度ＴＳが低い冷蔵冷凍機器と、該冷蔵冷凍機器以外の冷蔵冷凍機器の中で実庫内温度ＴＡの単位時間当たりの平均値ＴＡａが設定庫内温度よりも高く、且つ、平均値ＴＡａと設定庫内温度ＴＳとの温度偏差ΔＴａが許容値を上回っている冷蔵冷凍機器とを、制御対象機器として選定しているので、設定庫内温度に拘わらず制御対象機器を冷却状態に応じて適切に選定できる。
【００５７】
尚、前述の実施形態では、各冷蔵冷凍機器１〜４の蒸発器１ａ〜４ａへの冷媒取り込みを制御するデバイスとして電磁弁１ｃ〜４ｃを用いたが、電気信号による開閉を可能とした電子膨張弁を膨張弁１ｂ〜４ｂを変わりに用いれば、電磁弁１ｃ〜４ｃを排除することができる。
【００５８】
また、前述の実施形態では、４台の冷蔵冷凍機器１〜４を備えた冷却システムを例示したが、冷蔵冷凍機器の台数が５以上の冷却システムであっても本発明を適用することで前記同様の作用効果が得られる。
【図面の簡単な説明】
【００５９】
【図１】本発明の一実施形態を示す冷却システムの全体構成図である。
【図２】目標吸入圧力の設定及び補正に係る第１の処理フローを示す図である。
【図３】店内エンタルピを求める際に用いられるデータテーブルを示す図である。
【図４】目標吸入圧力を設定する際に用いられるデータテーブルを示す図である。
【図５】目標吸入圧力の設定及び補正に係る第２の処理フローを示す図である。
【符号の説明】
【００６０】
１〜４…冷蔵冷凍機器、１ａ〜４ａ…蒸発器、１ｅ〜４ｅ…庫内温度センサ、５…共用冷凍機、５ａ…圧縮機、５ｃ…圧力センサ、６…制御装置、ＲＰ１…冷媒往き管、ＲＰ２…冷媒戻り管、ＳＬ１，ＳＬ２…信号線。
【図１】
2006342984.tif 000003
【図２】
2006342984.tif 000004
【図３】
2006342984.tif 000005
【図４】
2006342984.tif 000006
【図５】
2006342984.tif 000007